(57)【要約】【課題】ケースの内周面に生じる傷を目立ち難くする。【解決手段】ケース本体50は、LEDモジュール30から放射される光を透過する材料で形成される透過部503と、前記光を透過しない材料で形成される不透過部504とを有する。さらに、ケース本体50は、透過部503と不透過部504との境界面505が、側板41の先端(上端)よりも底板40に近い位置に存在するように構成される。故に、支持部材４の先端が側板41に接触しても透過部503には傷が付き難くなり、その結果、ケース(ケース本体50)の内周面に生じる傷を目立ち難くすることができる。【選択図】        図１
2015146264.tif 000002
【特許請求の範囲】
【請求項１】
１乃至複数の固体発光素子を有する光源と、長尺に形成されて前記光源を支持する支持部材と、少なくとも一端が開放された長尺の筒状に形成され、前記開放された一端側から挿入される前記光源を内部に収納するケースとを備え、
前記支持部材は、前記光源が取り付けられる平坦な底板と、前記底板の長手方向に沿って前記底板の両端から前記光源と反対側に立ち上がる一対の側板とを有するように構成され、
前記ケースは、前記光源と対向し、且つ前記光源から放射される光を透過する材料で形成される透過部と、前記光源と対向せず、且つ前記光を透過しない材料で形成される不透過部とを有し、前記透過部と前記不透過部との境界面が、前記側板の先端よりも前記底板に近い位置に存在するように構成されることを特徴とする光源ユニット。
【請求項２】
前記ケースは、前記透過部と前記不透過部との境界面が、前記底板よりも前記側板の先端に近い位置に存在するように構成されることを特徴とする請求項１記載の光源ユニット。
【請求項３】
前記ケースは、少なくとも前記不透過部が前記支持部材から離れる向きに先細りとなるように構成されることを特徴とする請求項１又は２記載の光源ユニット。
【請求項４】
前記ケースは、前記透過部が前記光源から放射される光の進行方向に向かって先太りとなるように構成されることを特徴とする請求項１〜３の何れか１項に記載の光源ユニット。
【請求項５】
請求項１〜４の何れかの光源ユニットと、前記光源ユニットを支持する器具本体とを備えることを特徴とする照明器具。
【請求項６】
前記器具本体は、前記光源ユニットの一部を収める凹部が設けられ、前記不透過部の全部と、前記透過部の一部とが前記凹部内に収まるように構成されることを特徴とする請求項５記載の照明器具。
【発明の詳細な説明】
【技術分野】
【０００１】
本発明は、固体発光素子を光源とする光源ユニット、及びその光源ユニットを備える照明器具に関する。
【背景技術】
【０００２】
従来例として、特許文献１記載の照明器具を例示する。この従来例は、複数の発光素子を光源とする光源部と、光源部を点灯させる点灯装置と、点灯装置を収容する収容凹部を有し且つ収容凹部の開口を塞ぐようにして光源部を支持する本体とを備える。なお、本体は、収容凹部の開口と反対側の面で天井に直付けされる。
【０００３】
光源部は、取付部材と、複数の発光素子が実装された基板と、カバー部材とを備える。取付部材は、器具本体と同様に長尺に形成されており、長手方向に沿って平坦な取付面を有している。また、取付部材は、取付面の両側から背面方向へ直角に立ち上がった第１の側壁を有している。なお、第１の側壁における取付面側には、複数の切起し片が略等間隔に幅方向の外側に突出して形成されている。
【０００４】
基板は、長方形状に形成されており、取付部材の取付面にねじ止め等によって取り付けられている。この基板の表面側には、複数の発光素子が実装されている。
【０００５】
カバー部材は、アクリル樹脂やポリカーボネート樹脂等の透光性の材料により、長尺且つ半円筒状に形成されている。そして、カバー部材の開放端部側には、長手方向に沿って一対の嵌合溝が形成されている。
【０００６】
このように構成されたカバー部材は、複数の発光素子が実装された基板を覆うように取付部材に取付けられている。具体的には、カバー部材の一対の嵌合溝に取付部材の切起し片がスライドして嵌合し、取付けられるようになっている。以上のように、光源部は、取付部材と、複数の発光素子が実装された基板と、カバー部材とが組合わされて一体化されて構成されている。
【先行技術文献】
【特許文献】
【０００７】
【特許文献１】特開２０１２−３９９３号公報
【発明の概要】
【発明が解決しようとする課題】
【０００８】
ところで、特許文献１記載の従来例は、カバー部材(ケース)の長手方向の一端側から、取付部材がカバー部材内に挿入される際、カバー部材の一対の嵌合溝に取付部材の切起し片がスライドして嵌合されるように構成されている。
【０００９】
しかしながら、カバー部材を形成する材料(アクリル樹脂やポリカーボネート樹脂)よりも取付部材を形成する材料(金属板)の方が固いので、取付部材が挿入される際に、カバー部材に傷(ひっかき傷)が付きやすい。しかも、カバー部材全体が透光性の材料で形成されているため、特に、発光素子が発光しているときに前記傷がカバー部材の外から目視されてしまう虞がある。
【００１０】
本発明は、上記課題に鑑みて為されたものであり、ケースの内周面に生じる傷を目立ち難くすることを目的とする。
【課題を解決するための手段】
【００１１】
本発明の光源ユニットは、１乃至複数の固体発光素子を有する光源と、長尺に形成されて前記光源を支持する支持部材と、少なくとも一端が開放された長尺の筒状に形成され、前記開放された一端側から挿入される前記光源を内部に収納するケースとを備える。前記支持部材は、前記光源が取り付けられる平坦な底板と、前記底板の長手方向に沿って前記底板の両端から前記光源と反対側に立ち上がる一対の側板とを有するように構成される。前記ケースは、前記光源と対向し、且つ前記光源から放射される光を透過する材料で形成される透過部と、前記光源と対向せず、且つ前記光を透過しない材料で形成される不透過部とを有する。そして、前記ケースは、前記透過部と前記不透過部との境界面が、前記側板の先端よりも前記底板に近い位置に存在するように構成されることを特徴とする。
【００１２】
この光源ユニットにおいて、前記ケースは、前記透過部と前記不透過部との境界面が、前記底板よりも前記側板の先端に近い位置に存在するように構成されることが好ましい。
【００１３】
この光源ユニットにおいて、前記ケースは、少なくとも前記不透過部が前記支持部材から離れる向きに先細りとなるように構成されることが好ましい。
【００１４】
この光源ユニットにおいて、前記ケースは、前記透過部が前記光源から放射される光の進行方向に向かって先太りとなるように構成されることが好ましい。
【００１５】
本発明の照明器具は、前記何れかの光源ユニットと、前記光源ユニットを支持する器具本体とを備えることを特徴とする。
【００１６】
この照明器具において、前記器具本体は、前記光源ユニットの一部を収める凹部が設けられ、前記不透過部の全部と、前記透過部の一部とが前記凹部内に収まるように構成されることが好ましい。
【発明の効果】
【００１７】
本発明の光原ユニット及び照明器具は、ケースにおける透過部と不透過部との境界面が、側板の先端よりも底板に近い位置に存在するように構成されるので、支持部材の先端が側板に接触しても透過部には傷が付き難くなる。その結果、本発明の光源ユニット及び照明器具は、カバー部材の内周面に生じる傷を目立ち難くすることができるという効果がある。
【図面の簡単な説明】
【００１８】
【図１】本発明に係る光源ユニットの実施形態を示す断面図である。
【図２】同上の分解斜視図である。
【図３】同上における支持部材と電源装置と固定具の分解斜視図である。
【図４】Ａは同上の上面図、Ｂは同上の断面図、Ｃは同上の側面図である。
【図５】同上の一部省略した断面図である。
【図６】本発明に係る照明器具の実施形態を示す分解斜視図である。
【図７】同上の斜視図である。
【図８】同上の一部省略した断面図である。
【図９】同上の別の構成を示す一部省略した断面図である。
【発明を実施するための形態】
【００１９】
以下、本発明に係る光源ユニット２並びに照明器具Ａの実施形態について、図面を参照して詳細に説明する。なお、以下の説明では、特に断りのない限り、図２及び図６において上下左右前後の各向きを規定する。
【００２０】
本実施形態の照明器具Ａは、図６及び図７に示すように光源ユニット２と、器具本体１とで構成される。器具本体１は、例えば、屋側などの風雨に曝される場所に直付けされる。そして、光源ユニット２は、器具本体１に対して着脱可能に取り付けられる。
【００２１】
器具本体１は、板金に曲げ加工を施すことで長尺且つ上面が開口する角筒状に形成される。また、器具本体１は、下面が開口する矩形箱形の凹部11を内部に収納し、この凹部11に光源ユニット２を収容するように構成される。また、器具本体１は、造営材に取り付けられる上面と、凹部11が開口する下面とを除く残り２つの側面が、外側に向かって上方へ傾斜する傾斜面12とされている。なお、凹部11の底板には電線を通すための孔13が設けられている。
【００２２】
また、器具本体１は、長手方向(左右方向)における下面両端に、一対の突片14が設けられている。これらの突片14には、それぞれねじ孔15が設けられている(図６参照)。
【００２３】
光源ユニット２は、図２に示すように、LEDモジュール３と、LEDモジュール３を支持する支持部材４と、LEDモジュール３を支持した支持部材４を内部に収納する防水ケース５と、電源装置６と、固定具７と、取付具８とを備える。
【００２４】
LEDモジュール３は、左右方向に長い矩形板状に形成されたプリント配線板31を有する。プリント配線板31は、その下面に複数のＬＥＤ(発光ダイオード)30が左右方向(長手方向)に沿って実装されている(図１参照)。また、LEDモジュール３の長手方向の端部には、電源装置６との間を電気的に接続するためのコネクタ(図示せず)が実装されている。このコネクタには電線(図示せず)が接続されており、この電線の端部を電源装置６に接続することでLEDモジュール３と電源装置６とが電気的に接続される。
【００２５】
支持部材４は、板金に曲げ加工を施すことで角樋状に形成される。すなわち、支持部材４は、長尺且つ矩形板状に形成された底板40と、底板40の短幅方向(前後方向)における両端から長手方向に沿って上向きに立ち上がる一対の側板41とを有する。なお、上述したLEDモジュール３は、例えば、支持部材４の底板40の一部を切り起こすことで形成された爪(図示せず)により支持部材４に支持される。
【００２６】
電源装置６は、電源基板(図示せず)と、電源基板を収納する収納ケース60とを有する。電源基板は、左右方向に長い矩形板状に形成されたプリント配線板からなり、このプリント配線板には、少なくともＬＥＤ30の点灯電力を生成するために必要な回路部品(例えばトランスやダイオード、コンデンサなど)が実装されている。
【００２７】
収納ケース60は、長手方向(左右方向)の両端が開口する矩形箱状に形成されている。また、収納ケース60は、例えばねじなどを用いて支持部材４の側板41に取り付けられる。
【００２８】
防水ケース５は、ケース本体50と２つのエンド部材51及び防水パッキン52で構成される。ケース本体50は、合成樹脂材料によって長手方向の両端が開口した長尺の角筒状に形成され、その内部にLEDモジュール３及び支持部材４を収納するように構成されている(図４参照)。なお、支持部材４は、後述するように３つの固定具７によってケース本体50に固定される。
【００２９】
また、ケース本体50は、長尺且つ平坦な後壁500と、後壁500の長手方向に沿った両端から下方へ突出する一対の側壁501と、一対の側壁501の下端同士を繋ぐ前壁502とを有する。ただし、後壁500と一対の側壁501との連結部分、並びに一対の側壁501と前壁502との連結部分は、何れも外側に突出する曲面形状に形成されている。
【００３０】
また、一対の側壁501は、後壁500から下に向かって互いに離れるように外側に傾斜している(図１参照)。さらに、前壁502は、両端から中央に向かって下向きに膨らむ半円筒形状に形成されている。ただし、ケース本体50は、透光性を有する合成樹脂材料(アクリル樹脂やポリカーボネート樹脂など)と、透光性を有しない合成樹脂材料(三枝様、何か一例をご教示下さい。)との２色押出成形によって形成される。ここで、透光性を有する合成樹脂材料で形成される部位を透過部503と呼び、透光性を有しない合成樹脂材料で形成される部位を不透過部504と呼ぶことにする。つまり、LEDモジュール30から放射される光は、透過部503を透過する際に配光制御される。なお、透過部503は、拡散材が混入されたり、多数の凹凸が形成されたりすることで光を拡散させるように構成されることが好ましい。
【００３１】
エンド部材51は、図２に示すように底壁510と、底壁510の周縁から突出する筒状の外壁511と、外壁512に対向して底壁510から突出する筒状の内壁512とが合成樹脂成形体として一体に形成されている。底壁510は、厚み方向(左右方向)から見た外形が、ケース本体50を左右方向から見た外形と相似する形状に形成されている。また、底壁510は、電線(図示せず)が挿通される挿通孔513と、外壁511及び内壁512と同じ向きに突出する一対のボス514とが設けられている。これらのボス514は、底壁510の側に開口する有底円筒形状に形成され、底面の中央にねじ挿通孔5140が貫通している。
【００３２】
そして、エンド部材51は、外壁511及び内壁512をケース本体50の長手方向の端部に被せるようにしてケース本体50に取り付けられ、且つ固定具７を介してケース本体50にねじ止めされる(図４及び図５参照)。
【００３３】
固定具７は、固定片70と、一対の取付片71と、側壁72とを有する。固定片70は、矩形平板状に形成され、長手方向(前後方向)の両端にねじ孔700がそれぞれ設けられている(図３参照)。
【００３４】
一対の取付片71は、矩形平板状であって、固定片70の長手方向の両端から下向きに突出するように設けられる。また、各取付片71の先端(下端)には、１つの長孔73と２つの丸孔74が貫通している。ただし、２つの丸孔74は、取付片71の幅方向(左右方向)において長孔73の両側に配置されいてる(図３参照)。
【００３５】
側壁72は、矩形平板状であって、固定片70の長手方向に沿った一端から下向きに突出するように設けられる。また、側壁72は、電線が挿通される挿通孔720と、一対のねじ孔721と、切欠722とを有する。一対のねじ孔721は、側壁72の下部における前後方向の両端に設けられる。また、切欠722は、側壁72の下部における一対のねじ孔721の間に設けられる。なお、本実施形態では３つの固定具７が用いられるが、これら３つの固定具７は全て同一の構成を有している。
【００３６】
これら３つの固定具７は、一対の取付片71が支持部材４の各側板41にねじ止めされて支持部材４に取り付けられる(図２参照)。ただし、各側板41の先端(上端)が外向きにカールされているので、固定具７は、各側板41の間に取付片71が収まるように支持部材４に取り付けられることが好ましい(図１参照)。
【００３７】
支持部材４の一対の側板41には、長手方向(左右方向)における両端と中央にそれぞれ丸孔410が貫通している(図２及び図３参照)。そして、支持部材４の左端に取り付けられる固定具７は、左端の丸孔410に挿通されるボルト75が、取付片71の２つの丸孔74の一方に挿通される。そして、この固定具７は、丸孔74に挿通されるボルト75にナット(図示せず)が締め付けられることにより、支持部材４に対して移動不能に取り付けられる。
【００３８】
一方、支持部材４の中央と右端に取り付けられる２つの固定具７は、中央及び右端の丸孔410に挿通されるボルト75が、取付片71の長孔73に挿通される。そして、これら２つの固定具７は、長孔73に挿通されるボルト75にナット(図示せず)が締め付けられることにより、支持部材４に対して長手方向(左右方向)に沿って移動可能に取り付けられる。なお、固定具７の取り付けに用いられるボルト75は、段付きボルトであることが好ましい。
【００３９】
防水パッキン52は、シリコーン樹脂などの弾性を有する材料により、エンド部材51の周壁71とほぼ同一の形状(筒状)に形成されている。そして、防水パッキン52は、エンド部材51の底壁510と外壁511と内壁512に囲まれた空間に挿入される(図５参照)。さらに、防水パッキン52は、外壁511及び内壁512の先端から露出する面に全周に渡る溝520が設けられている。そして、この溝520にケース本体50の長手方向における端部が圧入される(図５参照)。故に、エンド部材51とケース本体50の隙間が防水パッキン52によって密閉され、ケース本体50内への雨水の浸入が阻止される。
【００４０】
取付具８は、図２に示すようにケース本体50に固定される第１固定部80と、器具本体１に固定される第２固定部81と、第１固定部80と第２固定部81を連結する連結部82とが金属板を加工することで一体に形成される。
【００４１】
第１固定部80は、平坦な矩形板状に形成され、前後方向の両端に円錐台状の突部800がそれぞれ設けられる。なお、各突部800の天面には、円形のねじ挿通孔801が貫通している(図４Ａ参照)。
【００４２】
連結部82は、前後方向から見てＬ形に曲げられており、エンド部材51に沿ってケース本体50の透過部503に近付く向きに突出する。ただし、２つの取付具８のうちの片方の取付具８の連結部82には、矩形の窓孔820が設けられている。すなわち、取付具８がケース本体50に取り付けられた状態において、エンド部材51の挿通孔513及び挿通孔513の直下に位置するボス514が、窓孔820を通して露出するように構成されている(図４Ｃ参照)。
【００４３】
第２固定部81は、矩形平板状であって、連結部82の下端から水平に突出する。第２固定部81は、長手方向(前後方向)のほぼ中央にねじ挿通孔810が貫通している。ただし、２つの取付具８のうちの片方(連結部82に窓孔820が設けられていない方)の取付具８においては、第２固定部81に貫通するねじ挿通孔810が長孔とされている(図２参照)。
【００４４】
而して、第１固定部80の各ねじ挿通孔801に固定ねじ(図示せず)が挿通され、これらの固定ねじがケース本体50の各挿通孔501を通して固定片70の各ねじ孔700にねじ込まれる。なお、図示は省略しているが、固定ねじは、例えば、防水ワッシャを介して第１固定部80のねじ挿通孔801に挿通される。上述のように取付具８は、第１固定部80がケース本体50を介して固定具７の固定片70にねじ止めされることにより、ケース本体50に取り付けられる。
【００４５】
次に、光源ユニット２の組立手順について説明する。まず、作業者は、LEDモジュール３や電源装置６、並びに３つの固定具７が取り付けられた支持部材４を、長手方向の一端側からケース本体50内に挿入して収納する。さらに、作業者は、ケース本体50内に収納した支持部材４を、２つの取付具８によってケース本体50に固定する。ただし、中央の固定具７は、ケース本体50の天面における長手方向中央に設けられるねじ挿通孔506に挿通されるねじ(図示せず)が固定片70のねじ孔700にねじ込まれることでケース本体50に直接固定される(図４参照)。
【００４６】
続いて、作業者は、防水パッキン52を取り付けたエンド部材51をケース本体50の端部に被せる。このとき、作業者は、電源装置６から引き出された電線を、中央の固定具７の切欠722に挿通し、且つ片側(左側)のエンド部材51の挿通孔513に挿通した後、取付具８の連結部82に設けられた窓孔820に挿通してケース本体50の外に引き出しておく。そして、作業者は、ボス514のねじ挿通孔5140に挿通したねじ(図示せず)を固定具７の側壁72のねじ孔721にねじ込むことにより、固定具７を介してエンド部材51をケース本体50に取り付ける。以上のようにして、本実施形態の光源ユニット２が組み立てられる。
【００４７】
次に、照明器具Ａの組立手順について説明する。作業者は、ケース本体50から引き出されている電線を、器具本体１の凹部11の底面に取り付けられている端子台(図示せず)に接続した後、光源ユニット２の不透過部504を、器具本体１の凹部11内に収納する。そして、作業者は、器具本体１の下面において、一対の突片14にそれぞれ設けられているねじ孔15に、取付具８の第２固定部81のねじ挿通孔810に挿通したねじ83をねじ込む(図６参照)。このようにして、光源ユニット２が器具本体１に固定されることで照明器具Ａが組み立てられる(図６〜図８参照)。
【００４８】
ところで、支持部材４がケース本体50内に挿入される際、支持部材４の側板41の先端(上端)がケース本体50の側壁503の内側面に接触して、側壁503の内側面に傷が付く場合が有る。そして、LEDモジュール30から放射されて前壁502の内周面で反射される光が側壁503を透過する際、側壁503の透過部503に傷が付いていると、外部から傷が視認されてしまう虞がある。
【００４９】
そこで本実施形態の光源ユニット２では、透過部503と不透過部504との境界面505が、側板41の先端(上端)よりも底板40に近い位置に存在するように構成される(図１参照)。つまり、上記構成によれば、側板41の先端(上端)が接触して傷が付くのは、ほぼ不透過部504に限定されるので、側壁503に付いた傷が外部から視認される可能性が極めて低くなる。
【００５０】
上述のように本実施形態の光源ユニット２は、１乃至複数の固体発光素子(LED30)を有する光源(LEDモジュール３)と、長尺に形成されて光源(LEDモジュール30)を支持する支持部材４とを備える。また、本実施形態の光源ユニット２は、少なくとも一端が開放された長尺の筒状に形成され、前記開放された一端側から挿入される光源(LEDモジュール30)を内部に収納するケース(ケース本体50)とを備える。支持部材４は、光源(LEDモジュール30)が取り付けられる平坦な底板40と、底板40の長手方向に沿って底板40の両端から光源(LEDモジュール30)と反対側に立ち上がる一対の側板41とを有するように構成される。ケース(ケース本体50)は、光源(LEDモジュール30)と対向し、且つ光源(LEDモジュール30)から放射される光を透過する材料で形成される透過部503を有する。また、ケース(ケース本体50)は、光源(LEDモジュール30)と対向せず、且つ前記光を透過しない材料で形成される不透過部504を有する。さらに、ケース(ケース本体50)は、透過部503と不透過部504との境界面505が、側板41の先端(上端)よりも底板40に近い位置に存在するように構成される。
【００５１】
本実施形態の光源ユニット２は上述のように構成されるので、支持部材４の先端が側板41に接触しても透過部503には傷が付き難くなり、その結果、ケース(ケース本体50)の内周面に生じる傷を目立ち難くすることができる。
【００５２】
また、本実施形態の光源ユニット２において、ケース(ケース本体50)は、透過部503と不透過部504との境界面505が、底板40よりも側板41の先端に近い位置に存在するように構成されることが好ましい(図１参照)。本実施形態の光源ユニット２が上述のように構成されれば、境界面505が底板40よりも側板41から遠い位置に存在する場合と比較して、側板41を透過する光量の減少を抑制することができる。
【００５３】
さらに、本実施形態の光源ユニット２において、ケース(ケース本体50)は、少なくとも不透過部504が支持部材４から離れる向きに先細りとなるように構成されることが好ましい。すなわち、本実施形態におけるケース本体50は、後壁500の幅寸法が前壁502の幅寸法よりも狭く、一対の側壁501が上に向かって傾斜することで先細りとなるように構成されている。本実施形態の光源ユニット２が上述のように構成されれば、側壁501と側板41との隙間を通って不透過部504へ漏れる光を低減することができる。
【００５４】
また、本実施形態の光源ユニット２において、ケース(ケース本体50)は、透過部503が光源(LEDモジュール30)から放射される光の進行方向に向かって先太りとなるように構成されることが好ましい。すなわち、本実施形態におけるケース本体50は、前壁502が下向きに突出する半円筒形状に形成されることで先太りとなるように構成されている。本実施形態の光源ユニット２が上述のように構成されれば、透過部503と不透過部504の境界面505が下方から視認され難くなるので、外観上の見栄えを向上することができる。
【００５５】
さらに、本実施形態の照明器具Ａにおいて、器具本体１は、光源ユニット２の一部を収める凹部11が設けられ、不透過部504の全部と、透過部503の一部とが凹部11内に収まるように構成されることが好ましい(図８参照)。
【００５６】
本実施形態の照明器具Ａが上述のように構成されれば、透過部503と不透過部504の境界面505が凹部11内に隠れるので、境界面505が下方から視認され難くなり、外観上の見栄えを向上することができる。
【００５７】
ところで、ケース本体50は、図９に示すように一方の側壁501の内側面より、長手方向に沿って内向きに突出する長尺且つ平板状のリブ507が設けられても構わない。このリブ507は、境界面505よりも底板40に近い位置から突出しているので、側壁501と側板41との隙間を通って不透過部504へ漏れる光を低減することができる。さらに、リブ507は、支持部材４の側板41に近接する程度の突出量とされることが好ましい。つまり、リブ507の先端が側板41に近接していれば、支持部材４のがたつきをリブ507によって抑えることができる。
【００５８】
なお、本実施形態では防水型の光源ユニット２及び照明器具Ａを例示したが、非防水型の光源ユニット並びに照明器具にも本発明の技術思想を適用することができる。
【符号の説明】
【００５９】
２  光源ユニット
３  LEDモジュール(光源)
４  支持部材
５  防水ケース
３０  発光ダイオード(固体発光素子)
４０  底板
４１  側板
５０  ケース本体
５０３  透過部
５０４  不透過部
５０５  境界面
【図１】
2015146264.tif 000003
【図２】
2015146264.tif 000004
【図３】
2015146264.tif 000005
【図４】
2015146264.tif 000006
【図５】
2015146264.tif 000007
【図６】
2015146264.tif 000008
【図７】
2015146264.tif 000009
【図８】
2015146264.tif 000010
【図９】
2015146264.tif 000011